(57)【要約】【課題】本発明は、デジタルカメラ等の電子機器との情報の伝達、あるいは電子機器への電力の供給に使用されるクレードル、および、このクレードルを用いたカメラシステムに関し、使用時の安定性を確実に維持することができるとともに小型で収納性が良いクレードルおよびこのクレードルを用いたカメラシステムを提供することを目的とする。【解決手段】電子機器が装着される本体部と、前記本体部に収容可能に配置される脚部と、前記本体部に配置され前記電子機器の装着を検出する検出手段と、前記検出手段の検出により前記脚部を前記本体部から突出させる突出手段とを有していることを特徴とする。【選択図】      図１
2004235828.tif 000002
【特許請求の範囲】
【請求項１】
電子機器が装着される本体部と、
前記本体部に収容可能に配置される脚部と、
前記本体部に配置され前記電子機器の装着を検出する検出手段と、
前記検出手段の検出により前記脚部を前記本体部から突出させる突出手段と、を有していることを特徴とするクレードル。
【請求項２】
請求項１記載のクレードルにおいて、
前記電子機器は、前記本体部に装着した状態で、鏡筒の繰り出しが可能なカメラであることを特徴とするクレードル。
【請求項３】
請求項１または請求項２記載のクレードルにおいて、
前記検出手段は、前記電子機器の装着時に移動される連動部材であることを特徴とするクレードル。
【請求項４】
請求項１または請求項２記載のクレードルにおいて、
前記検出手段は、前記電子機器の装着時にオンされるスイッチであることを特徴とするクレードル。
【請求項５】
カメラと、このカメラが装着されるクレードルとを備えたカメラシステムにおいて、
前記クレードルは、
カメラが装着される本体部と、
前記本体部に収容可能に配置される脚部と、
前記本体部に配置され前記カメラの装着を検出する検出手段と、
前記検出手段の検出により前記脚部を前記本体部から突出させる突出手段と、を有し、
前記カメラは、
前記本体部への装着時に、前記検出手段を作動する作動部を備えてなることを特徴とするカメラシステム。
【請求項６】
請求項５記載のカメラシステムにおいて、
前記カメラは、前記本体部に装着した状態で、鏡筒の繰り出しが可能なカメラであることを特徴とするカメラシステム。
【請求項７】
請求項５または請求項６記載のカメラシステムにおいて、
前記検出手段は、前記カメラの装着時に移動される連動部材であり、
前記突出手段は、前記連動部材の移動により前記本体部から前記脚部を突出させ、
前記カメラは、前記本体部への装着時に、前記連動部材を移動させる作動部を有することを特徴とするカメラシステム。
【発明の詳細な説明】
【０００１】
【発明の属する技術分野】
本発明は、デジタルカメラ等の電子機器との情報の伝達、あるいは電子機器への電力の供給に使用されるクレードル、および、このクレードルを用いたカメラシステムに関する。
【０００２】
【従来の技術】
従来、デジタルカメラとの情報の伝達、あるいはデジタルカメラへの電力の供給に使用されるクレードルとして、例えば、特開２００２−２５２８０１号公報に開示されるものが知られている。
そして、この公報に開示されるクレードルでは、クレードルの保持部にデジタルカメラを装着することにより、デジタルカメラとの情報の伝達、およびデジタルカメラへの電力の供給が可能になる。
【０００３】
また、このクレードルでは、折り畳み式の脚部を指により引き出すことにより、クレードルを傾斜して支持することが可能になる。
【特許文献１】
特開２００２−２５２８０１号公報
【０００４】
【発明が解決しようとする課題】
しかしながら、このような従来のクレードルでは、デジタルカメラをクレードルに装着して撮影を行おうとすると、鏡筒の繰り出しにより、デジタルカメラの重心位置が変化する。
【０００５】
そして、特に、高倍率ズーム鏡筒を有する小型沈胴式のデジタルカメラでは、鏡筒が大きく繰り出すことになるため、デジタルカメラの重心が大きく移動する。
従って、クレードルの安定性を確保するためには、クレードルの底面の面積を大きくする必要があり、クレードルが大型化するという問題があった。
一般に、デジタルカメラと接続しない状態で単体として機能することのないクレードルは、使用時の安定性を維持しつつ、小型で収納性が良いことが望まれている。
【０００６】
本発明は、かかる従来の問題を解決するためになされたもので、使用時の安定性を確実に維持することができるとともに小型で収納性が良いクレードルおよびこのクレードルを用いたカメラシステムを提供することを目的とする。
【０００７】
【課題を解決するための手段】
請求項１のクレードルは、電子機器が装着される本体部と、前記本体部に収容可能に配置される脚部と、前記本体部に配置され前記電子機器の装着を検出する検出手段と、前記検出手段の検出により前記脚部を前記本体部から突出させる突出手段とを有していることを特徴とする。
【０００８】
請求項２のクレードルは、請求項１記載のクレードルにおいて、前記電子機器は、前記本体部に装着した状態で、鏡筒の繰り出しが可能なカメラであることを特徴とする。
請求項３のクレードルは、請求項１または請求項２記載のクレードルにおいて、前記検出手段は、前記電子機器の装着時に移動される連動部材であることを特徴とする。
【０００９】
請求項４のクレードルは、請求項１または請求項２記載のクレードルにおいて、前記検出手段は、前記電子機器の装着時にオンされるスイッチであることを特徴とする。
請求項５のカメラシステムは、カメラと、このカメラが装着されるクレードルとを備えたカメラシステムにおいて、前記クレードルは、カメラが装着される本体部と、前記本体部に収容可能に配置される脚部と、前記本体部に配置され前記カメラの装着を検出する検出手段と、前記検出手段の検出により前記脚部を前記本体部から突出させる突出手段とを有し、前記カメラは、前記本体部への装着時に、前記検出手段を作動する作動部を備えてなることを特徴とする。
【００１０】
請求項６のカメラシステムは、請求項５記載のカメラシステムにおいて、前記カメラは、前記本体部に装着した状態で、鏡筒の繰り出しが可能なカメラであることを特徴とする。
請求項７のカメラシステムは、請求項５または請求項６記載のカメラシステムにおいて、前記検出手段は、前記カメラの装着時に移動される連動部材であり、前記突出手段は、前記連動部材の移動により前記本体部から前記脚部を突出させ、前記カメラは、前記本体部への装着時に、前記連動部材を移動させる作動部を有することを特徴とする。
【００１１】
（作用）
請求項１のクレードルでは、電子機器が装着される本体部に、脚部が収容可能に配置されている。
そして、本体部に電子機器が装着されると、検出手段により電子機器が装着されたことが検出され、突出手段により脚部が本体部から突出される。
【００１２】
請求項２のクレードルでは、本体部にカメラが装着され、この状態で、カメラの鏡筒の繰り出しが可能である。
請求項３のクレードルでは、本体部への電子機器の装着時に連動部材が移動され、これにより本体部への電子機器の装着が検出される。
請求項４のクレードルでは、本体部への電子機器の装着時にスイッチがオンされ、これにより本体部への電子機器の装着が検出される。
【００１３】
請求項５のカメラシステムでは、カメラを本体部に装着すると、カメラの作動部により、本体部の検出手段が作動される。
そして、検出手段の作動により、突出手段が作動し、脚部が本体部から突出される。
請求項６のカメラシステムでは、本体部にカメラを装着した状態で、鏡筒の繰り出しが可能である。
【００１４】
請求項７のカメラシステムでは、カメラの本体部への装着時に、カメラの作動部により連動部材が移動され、本体部から脚部が突出される。
【００１５】
【発明の実施の形態】
以下、本発明の実施形態を図面を用いて詳細に説明する。
【００１６】
（第１の実施形態）
図１および図２は、本発明の第１の実施形態において、クレードル１１にカメラ１３を装着した状態を示している。
また、図３および図４は、本発明の第１の実施形態において、クレードル１１にカメラ１３を装着する前の状態を示している。
【００１７】
この実施形態では、カメラ１３は、高倍率ズーム鏡筒を有する小型沈胴式のデジタルカメラとされている。
そして、図１ないし図４の状態では、撮影のためにカメラ１３の鏡筒１５が大きく繰り出されている。
カメラ１３には、ファインダ１７、シャッタボタン１９および電源ボタン２１が配置されている。
【００１８】
クレードル１１は、図４に示すように、カメラ１３が装着される本体部２３を有している。
本体部２３は、カメラ１３が載置される水平部２３ａと、水平部２３ａの片側に垂直に立設される側面部２３ｂとを有している。
側面部２３ｂには、カメラ１３との情報の伝達およびカメラ１３への電源の供給を行う雄コネクタ２５が配置されている。
【００１９】
この雄コネクタ２５は、カメラ１３の側面に形成される雌コネクタ２７に接続可能とされている。
そして、クレードル１１の水平部２３ａの両側には、一対の開口部２３ｃが形成されている。
この一対の開口部２３ｃには、直方体状の脚部２９が収容可能とされている。
【００２０】
一対の脚部２９は、図５に示すように、支持部３１を中心にして、観音開き状に回転可能とされている。
クレードル１１の水平部２３ａの上面には、図３に示すように、検出手段であるレバー部材３３が配置されている。
このレバー部材３３は、クレードル１１の水平部２３ａの上面に形成される凹部２３ｄに収容され、支持軸３５を中心にして所定角度だけ回転可能とされている。
【００２１】
レバー部材３３の先端には、係合部３３ａが上方に突出して形成されている。
この係合部３３ａは、カメラ１３の本体部２３への装着時に、カメラ１３の底面に形成される凹部からなる作動部１３ａに係合可能とされている。
そして、クレードル１１の水平部２３ａ内には、レバー部材３３の回転により、脚部２９を水平部２３ａから突出させる突出手段３７が配置されている。
【００２２】
図６および図７は、この突出手段３７の詳細を示すもので、レバー部材３３の支持軸３５には、第１のギヤー３９が固着されている。
一方、一対の脚部２９には、ギヤー部２９ａが形成されている。
【００２３】
そして、図の左側の脚部２９のギヤー部２９ａには、第１のギヤー３９の回転が、４個のギヤー４１，４２，４３，４４を介して伝達される。
また、図の右側の脚部２９のギヤー部２９ａには、第１のギヤー３９の回転が、３個のギヤー４５，４６，４７を介して伝達される。
従って、図６の状態から、レバー部材３３を矢符Ｔで示すように反時計周りに回転すると、図７に示すように、脚部２９が観音開き状に本体部２３の水平部２３ａから突出される。
【００２４】
上述した実施形態では、カメラ１３を図４に示した状態から矢符Ａ方向に移動し、クレードル１１の水平部２３ａの上面に載置すると、カメラ１３の底面の作動部１３ａにレバー部材３３の係合部３３ａが位置される。
そして、この状態からカメラ１３を矢符Ｂ方向に移動すると、カメラ１３の作動部１３ａがレバー部材３３を回動しながら、カメラ１３の雌コネクタ２７にクレードル１１の雄コネクタ２５が接続される。
【００２５】
そして、雌コネクタ２７と雄コネクタ２５との接続の完了時には、図１に示したように、レバー部材３３が反時計周りに回転され、一対の脚部２９が水平部２３ａから完全に突出される。
一方、上述した実施形態では、カメラ１３を図２に示した状態から矢符Ｃ方向に移動すると、レバー部材３３を時計周りに回動しながら、カメラ１３の雌コネクタ２７からクレードル１１の雄コネクタ２５が離脱される。
【００２６】
そして、雌コネクタ２７と雄コネクタ２５との離脱の完了時には、図３に示したように、レバー部材３３が時計周りに回転され、一対の脚部２９が水平部２３ａに完全に収容される。
そして、図２の矢符Ｄ方向に、カメラ１３を持ち上げることにより、カメラ１３がクレードル１１から完全に離脱される。
【００２７】
上述したクレードル１１では、本体部２３にカメラ１３が装着されると、レバー部材３３の回転により、脚部２９が水平部２３ａから突出されるため、使用時の安定性を確実に維持することができる。
そして、カメラ１３をクレードル１１に装着して撮影を行うために、鏡筒１５の繰り出しにより、カメラ１３の重心位置が大きく変化した場合にも、カメラ１３を安定して支持することができる。
【００２８】
また、本体部２３からカメラ１３が離脱されると、レバー部材３３の回転により、脚部２９が水平部２３ａに収容されるため、小型で収納性が良いクレードル１１を提供することができる。
そして、上述したカメラシステムでは、カメラ１３に、本体部２３への装着時にレバー部材３３を作動する作動部１３ａを設け、カメラ１３の本体部２３への装着時に、カメラ１３の作動部１３ａによりレバー部材３３を移動して本体部２３から脚部２９を突出するようにしたので、本体部２３から脚部２９を自動的に確実に突出することができる。
【００２９】
（第２の実施形態）
図８および図９は、本発明の第２の実施形態において、クレードル５１にカメラ１３を装着した状態を示している。
また、図１０および図１１は、本発明の第２の実施形態において、クレードル５１にカメラ１３を装着する前の状態を示している。
【００３０】
この実施形態では、カメラ１３は、高倍率ズーム鏡筒を有する小型沈胴式のデジタルカメラとされている。
そして、図８ないし図１１の状態では、撮影のためにカメラ１３の鏡筒１５が大きく繰り出されている。
クレードル５１は、図１１に示すように、カメラ１３が装着される本体部５３を有している。
【００３１】
本体部５３は、水平部５３ａと、水平部５３ａの片側に垂直に立設される側面部５３ｂを有している。
側面部５３ｂには、雄コネクタ２５が配置されている。
この雄コネクタ２５は、カメラ１３の側面に形成される雌コネクタ２７に接続可能とされている。
【００３２】
そして、クレードル５１の水平部５３ａには、開口部５３ｃが形成されている。
この開口部５３ｃには、直方体状の脚部５５が収容可能とされている。
一対の脚部５５は、支持部５７を中心にして、観音開き状に回転可能とされている。
クレードル５１の側面部５３ｂの内側には、検出手段６１を構成する押圧部材６３が配置されている。
【００３３】
図１２および図１３は、検出手段６１の詳細を示すもので、クレードル５１の側面部５３ｂには、貫通穴５３ｄが形成され、この貫通穴５３ｃに押圧部材６３が挿入されている。
押圧部材６３は、バネ部材６５により、外側に向けて付勢されている。
押圧部材６３の後端には、突出部６３ａが形成されている。
【００３４】
そして、この突出部６３ａの後方に、検出スイッチＳＷ０が配置されている。検出スイッチＳＷ０は、間隔を置いて配置される一対の端子Ｔ１，Ｔ２を有している。
そして、図１３に示すように、カメラ１３の側面で押圧部材６３を押圧すると、押圧部材６３の突出部６３ａにより端子Ｔ２が押圧され、一対の端子Ｔ１，Ｔ２が接触し検出スイッチＳＷ０がオンとされる。
【００３５】
一方、クレードル５１の水平部５３ａ内には、検出スイッチＳＷ０のオンにより、脚部５５を本体部５３から突出させる突出手段６７が配置されている。
図１４および図１５は、この突出手段６７の詳細を示すもので、この実施形態では、一対の脚部５５が、バネ部材７１により外側に向けて付勢されている。
【００３６】
バネ部材７１は、脚部５５の支持部５７の近傍に配置されるピン部材７３と脚部５５の凹部５５ａに跨って配置されている。
また、脚部５５の先端には、係止部５５ｂが形成されている。
脚部５５の内側には、脚部５５の水平部５３ａへの収容時にオンするスイッチＳＷ１，ＳＷ２が配置されている。
【００３７】
一方、クレードル５１の水平部５３ａの中央には、一対の係止レバー７５が支持軸７７を中心にして回転可能に配置されている。
一対の係止レバー７５の先端には、脚部５５に形成される係止部５５ｂに係止される係止爪７５ａが形成されている。
この一対の係止レバー７５は、ギヤー部７５ｂを介して相互に歯合されている。
【００３８】
一方の係止レバー７５の突出部７５ｃには、連結ピン７５ｄが固定されている。
そして、この連結ピン７５ｄが、ソレノイド７９の駆動軸８１の先端に挟持されている。
ソレノイド７９の駆動軸８１は、バネ部材８３によりソレノイド７９と反対側に付勢されている。
【００３９】
そして、ソレノイド７９を作動すると、駆動軸８１が矢符Ｅで示すようにソレノイド７９側に引かれ、ソレノイド７９側の係止レバー７５が矢符Ｆで示すように反時計周りに回転される。
また、この係止レバー７５にギヤー部７５ｂを介して歯合される係止レバー７５が、矢符Ｈで示すように時計周りに回転される。
【００４０】
これにより、図１５に示すように、係止レバー７５の係止爪７５ａの脚部５５の係止部５５ｂへの係止が解除され、バネ部材７１の付勢力により、一対の脚部５５が突出される。
【００４１】
そして、スイッチＳＷ１，ＳＷ２の端子が離れ、スイッチＳＷ１，ＳＷ２がオフになる。
なお、符号８５は、ソレノイド７９を作動する制御基板である。
上述した実施形態では、カメラ１３を図１１に示した状態から矢符Ａ方向に移動し、クレードル５１の水平部５３ａの上面に載置し、カメラ１３を矢符Ｂ方向に移動すると、押圧部材６３を押圧しながら、カメラ１３の雌コネクタ２７にクレードル５１の雄コネクタ２５が接続される。
【００４２】
そして、雌コネクタ２７と雄コネクタ２５との接続の完了時には、図１３に示したように、押圧部材６３により検出スイッチＳＷ０がオンにされる。
そして、検出スイッチＳＷ０のオンにより、ソレノイド７９が作動され、図１５に示したように、係止レバー７５の係止爪７５ａの脚部５５の係止部５５ｂへの係止が解除され、バネ部材７１の付勢力により、一対の脚部５５が突出される。
【００４３】
一方、上述した実施形態では、カメラ１３を図９に示した状態から矢符Ｃ方向に移動すると、カメラ１３の雌コネクタ２７からクレードル５１の雄コネクタ２５が離脱される。
そして、図９の矢符Ｄ方向にカメラ１３を持ち上げることにより、カメラ１３がクレードル５１から完全に離脱される。
【００４４】
そして、このカメラ１３の離脱後に、一対の脚部５５を指により押圧し、一対の脚部５５を水平部５３ａ内に収容すると、スイッチＳＷ１，ＳＷ２がオンになる。
このスイッチＳＷ１，ＳＷ２のオンにより、ソレノイド７９がオフになり、バネ部材８３の付勢力によりソレノイド７９の駆動軸８１がソレノイド７９と反対側に移動され、図１４に示したように、係止レバー７５の係止爪７５ａが、脚部５５の係止部５５ｂに係止され、脚部５５が水平部５３ａ内に完全に収容される。
【００４５】
上述したクレードル５１では、本体部５３にカメラ１３が装着されると、押圧部材６３が押圧され、脚部５５が水平部５３ａから突出されるため、使用時の安定性を確実に維持することができる。
そして、カメラ１３をクレードル５１に装着して撮影を行うために、鏡筒１５の繰り出しにより、カメラ１３の重心位置が大きく変化した場合にも、カメラ１３を安定して支持することができる。
【００４６】
また、上述したクレードル５１では、本体部５３へのカメラ１３の装着時に押圧される押圧部材６３により本体部５３へのカメラ１３の装着を検出するようにしたので、本体部５３へのカメラ１３の装着を容易，確実に検出することができる。
図１６は、この実施形態のクレードル５１に図示しないパソコンを接続して撮影を行う場合の動作を示している。
【００４７】
ステップＳ１では、検出手段６１の検出スイッチＳＷ０がオンか否かが判断される。
そして、検出スイッチＳＷ０がオフの場合には、ステップＳ２において、クレードル５１の制御基板８５に電気的に接続されるパソコンの画面に、クレードル５１にカメラ１３が装着されていないことを示す警告表示１が表示される。
【００４８】
一方、検出スイッチＳＷ０がオンの場合には、ステップＳ３において、クレードル５１の本体部５３内に収容されるスイッチＳＷ１，ＳＷ２がオンか否かが判断される。
そして、スイッチＳＷ１，ＳＷ２がオンの場合には、ステップＳ４において、パソコンの画面に、クレードル５１から脚部５５が突出されていないことを示す警告表示２が表示される。
【００４９】
一方、スイッチＳＷ１，ＳＷ２がオフの場合には、ステップＳ５において、パソコンを操作することにより鏡筒１５のレンズの繰り出しが行われる。
従って、クレードル５１から脚部５５が突出されている時にのみ、カメラ１３の鏡筒１５のレンズの繰り出しを行うことが可能になる。
【００５０】
なお、以上述べた実施形態では、カメラ１３用のクレードル１１，５１に本発明を適用した例について説明したが、本発明はかかる実施形態に限定されるものではなく、例えば、携帯電話のようにクレードル５１が必要な電子機器に広く適用することができる。
【００５１】
【発明の効果】
以上述べたように、請求項１のクレードルでは、本体部に電子機器が装着されると、検出手段により電子機器が装着されたことが検出され、突出手段により脚部が本体部から突出されるため、使用時の安定性を確実に維持することができるとともに小型で収納性が良いクレードルを提供することができる。
【００５２】
請求項２のクレードルでは、本体部にカメラを装着した状態で、カメラの鏡筒の繰り出しが行われるが、突出手段により脚部が本体部から突出されているため、クレードルの安定性を確実に維持することができる。
請求項３のクレードルでは、本体部への電子機器の装着時に移動される連動部材により本体部への電子機器の装着を検出するようにしたので、本体部への電子機器の装着を容易，確実に検出することができる。
【００５３】
請求項４のクレードルでは、本体部への電子機器の装着時にオンされるスイッチにより本体部への電子機器の装着を検出するようにしたので、本体部への電子機器の装着を容易，確実に検出することができる。
請求項５のカメラシステムでは、カメラに、本体部への装着時に検出手段を作動する作動部を設けたので、脚部を本体部から確実に突出させることができる。
【００５４】
請求項６のカメラシステムでは、本体部にカメラを装着した状態で、カメラの鏡筒の繰り出しが行われるが、突出手段により脚部が本体部から突出されているため、クレードルの安定性を確実に維持することができる。
請求項７のカメラシステムでは、カメラの本体部への装着時に、カメラの作動部により連動部材を移動して本体部から脚部を突出するようにしたので、本体部から脚部を確実に突出することができる。
【図面の簡単な説明】
【図１】本発明の第１の実施形態においてクレードルにカメラを装着した状態を示す上面図である。
【図２】図２の正面図である。
【図３】本発明の第１の実施形態においてクレードルからカメラを離脱した状態を示す上面図である。
【図４】図３の正面図である。
【図５】本発明の第１の実施形態における脚部の移動状態を示す説明図である。
【図６】本発明の第１の実施形態における突出手段を示す説明図である。
【図７】本発明の第１の実施形態における突出手段を示す説明図である。
【図８】本発明の第２の実施形態においてクレードルにカメラを装着した状態を示す上面図である。
【図９】図８の正面図である。
【図１０】本発明の第２の実施形態においてクレードルからカメラを離脱した状態を示す上面図である。
【図１１】図１０の正面図である。
【図１２】本発明の第２の実施形態における検出手段を示す説明図である。
【図１３】本発明の第２の実施形態における検出手段を示す説明図である。
【図１４】本発明の第２の実施形態における突出手段を示す説明図である。
【図１５】本発明の第２の実施形態における突出手段を示す説明図である。
【図１６】本発明の第２の実施形態のクレードルにパソコンを接続して撮影を行う動作を示す説明図である。
【符号の説明】
１１，５１  クレードル
１３  カメラ
１３ａ  作動部
１５  鏡筒
２３，５３  本体部
２９，５５  脚部
３３  レバー部材
３７，６７  突出手段
６１  検出手段
【図１】
2004235828.tif 000003
【図２】
2004235828.tif 000004
【図３】
2004235828.tif 000005
【図４】
2004235828.tif 000006
【図５】
2004235828.tif 000007
【図６】
2004235828.tif 000008
【図７】
2004235828.tif 000009
【図８】
2004235828.tif 000010
【図９】
2004235828.tif 000011
【図１０】
2004235828.tif 000012
【図１１】
2004235828.tif 000013
【図１２】
2004235828.tif 000014
【図１３】
2004235828.tif 000015
【図１４】
2004235828.tif 000016
【図１５】
2004235828.tif 000017
【図１６】
2004235828.tif 000018